(57)【要約】【課題】ジッパー合わせ時に雄歯の偏移が起こらないジッパーを提供する。【解決手段】二本のテープ１、複数の雄歯２、複数の雌歯３およびスライダーボディー４から構成される。二本のテープ１の相対する両側辺にそれぞれ隣り合う複数の雄歯２および雌歯３を設ける。複数の雄歯２には突き出したフック片２１を備え、本体にはテープ１に挟み付ける中空状の挟み部２２を備える。複数の雌歯３は、各雄歯２と互いに組み合わせられ、対応するフック孔３１および収納室３２を備え、本体にテープ１に挟み付ける中空状の挟み部３３を備え、フック孔３１はフック片２１と互いに組み合わされる。スライダーボディー４は、雄歯２と雌歯３を移動してジッパーを閉じるまたは開くことに用いられる。【選択図】図１
0003138905.tif 000002
【実用新案登録請求の範囲】
【請求項１】
二本のテープ、複数の雄歯、複数の雌歯およびスライダーボディーを備え、
二本のテープの相対する両側辺にそれぞれ隣り合う複数の雄歯および複数の雌歯を有し、
複数の雄歯の各雄歯には突き出したフック片を設け、本体にはテープに挟み付ける中空状の挟み部を設け、
複数の雌歯の各雌歯は各雄歯と互いに組み合わせられ、各雌歯には対応するフック孔および収納室を設け、本体にはテープに挟み付ける中空状の挟み部を設け、フック孔は雄歯のフック片と互いに組み合わせられ、
スライダーボディーは雄歯と雌歯とを貫通し、雄歯と雌歯とを移動してジッパー合わせまたは離脱することに用いられ、
各雄歯と各雌歯とはスライダーボディーの導引により、雄歯のフック片は順番に雌歯のフック孔に嵌め込まれ、雌歯の収納室内に嵌め付けられ、雄歯と雌歯が互いに合わさることを特徴とするジッパー。
【請求項２】
前記各雄歯の挟み部は、相対する二つの押し付け片を備えることを特徴とする請求項１記載のジッパー。
【請求項３】
前記各雄歯の挟み部の一側または両側壁面には、孔が設けられることを特徴とする請求項１記載のジッパー。
【請求項４】
前記各雄歯の挟み部は、曲がったフック状であり、挟み部の一端は湾曲部で、他端はフック部であることを特徴とする請求項１記載のジッパー。
【請求項５】
前記各雌歯には、延伸して二つの相対する押し付け片を備えることを特徴とする請求項１記載のジッパー。
【請求項６】
前記各雌歯の挟み部の一側または両側壁面には、孔が設けられることを特徴とする請求項１記載のジッパー。
【請求項７】
前記スライダーボディーの内部の一側には、雄歯のフック片を通すことに用いられる引導溝が設けられることを特徴とする請求項１記載のジッパー。
【請求項８】
前記複数の各雄歯と前記複数の各雌歯とは、組み合わせの状態が連続して中断しない状態であることを特徴とする請求項１記載のジッパー。
【請求項９】
前記複数の各雄歯と前記複数の各雌歯とは、連続に接続された組み合わせの状態であることを特徴とする請求項１記載のジッパー。
【請求項１０】
前記雄歯と前記雌歯とは、プレスシートをもって連続に接続されることを特徴とする請求項１記載のジッパー。
【請求項１１】
前記各雄歯および前記雌歯は、プレスで一体成形される金属からなることを特徴とする請求項１記載のジッパー。
【請求項１２】
前記各雄歯の挟み部および前記各雌歯の挟み部は、テープの側辺に設けられ突き出して延伸する中心線に挟み付けられることを特徴とする請求項１記載のジッパー。
【請求項１３】
前記各雌歯の収納室とテープの中心線とは、隙間のないまたは隙間なしに近い閉鎖状態であることを特徴とする請求項１記載のジッパー。
【請求項１４】
前記各雄歯の挟み部の側壁面および前記各雌歯の挟み部の側壁面には、それぞれずれて配置された複数個の小突起刺が設けられることを特徴とする請求項１記載のジッパー。
【請求項１５】
前記各雄歯のプレスシートの辺壁および前記各雌歯のプレスシートの辺壁には、それぞれずれて配置された複数個の小突起刺が設けられることを特徴とする請求項１記載のジッパー。
【考案の詳細な説明】
【技術分野】
【０００１】
本考案は、ジッパーに関し、特に、フック片とフック孔を用いて、嵌め付けられ組み合わさる雄歯、雌歯を備えるジッパーに関する。
【背景技術】
【０００２】
従来のジッパーの構成は、テープ、ジッパー歯（teeth chain）、スライダーボディー、両端のピン（pin）およびストッパー（top stopper, bottom stopper）等の部材を含み、スライダーボディーがスライド（slide）されると、両側の雄歯、雌歯は同時に別れ、または、噛み合い、開くまたは閉める機能が達成される。
従来のジッパーの雄歯、雌歯に多く使われる材質は金属、樹脂またはナイロン（商標、nylon）等があり、ジッパーの構成形態も種類が多く、例えば、クロースエンド（close end）ジッパー、オープンエンド（open end）ジッパー、Ｘ型（Ｘ-type）ジッパーまたはＯ型（Ｏ-type）ジッパー等の各種がある。
【０００３】
従来の雄歯、雌歯は材質が如何であるにも拘わらず、通常はテープの両辺にそれぞれ互いに対応する凹凸形のジッパー歯が設置され、スライダーボディーの移動と組み合わせて噛み合いまたは離脱の機能を達成し、例えば、ＵＳ．ＰＡＴ．第７，０３６，１９１号、ＵＳ．ＰＡＴ．第６，７７５，８８５号、ＵＳ．ＰＡＴ．第６，５８８，０７２号、ＵＳ．ＰＡＴ．第４，０９９，３０１号、ＵＳ．ＰＡＴ．第３，８７２，５５１号またはＵＳ．ＰＡＴ．第１，９３４，０８４号等の特許文献に開示された各種従来のジッパー歯の構成は、すべて凹凸形のジッパー歯を用いて締め付けの機能を達成しており、その他従来の金属、樹脂またはナイロン（商標）の隠し型ジッパー等のジッパー歯の構成もすべて同じ原理を採用している。
【０００４】
【特許文献１】米国特許第７０３６１９１号明細書
【特許文献２】米国特許第６７７５８８５号明細書
【特許文献３】米国特許第６５８８０７２号明細書
【特許文献４】米国特許第４０９９３０１号明細書
【特許文献５】米国特許第３８７２５５１号明細書
【特許文献６】米国特許第１９３４０８４号明細書
【考案の開示】
【考案が解決しようとする課題】
【０００５】
本考案の目的は、ジッパーテープの両側辺にそれぞれ隣り合う複数の雄歯および雌歯が設けられ、特に、各雄歯には突き出し形状フック片を備え、各雌歯には対応するフック孔および収納室を備え、並びにスライダーボディーの引導と組み合わせて、雄歯のフック片は順番に雌歯のフック孔に嵌め込まれることができ、かつ雌歯の収納室に嵌め止めされるので、雄歯、雌歯のジッパー合わせ効果が達成され、逆方向にスライダーボディーを引くと嵌め付け状態を解除することができる嵌め付け型の構成を有する、ジッパーを提供することである。
【課題を解決するための手段】
【０００６】
本考案のジッパーは、雄歯には突き出したフック片を備え、雌歯には対応するフック孔および収納室を備え、スライダーボディーの引導と組み合わせて、雄歯のフック片は順番に雌歯のフック孔に嵌め込まれることができ、並びに雌歯の収納室に嵌め止めされ、これによって、雄歯と雌歯のジッパー合わせの効果が達成され、逆方向にスライダーボディーを引くと、嵌め付け状態を解除することができる。
このような雄歯、雌歯の構成は特に金属を用いてプレス成形され、古代調の美感を備えた金属ジッパーを構成することに適し、前述スライダーボディーの基心内部の一側には引導溝が設けられ、各雄歯のフック片は引導されて前記引導溝で進行し、雄歯がジッパー合わせ時に偏移の状況が起こらないことを確保する。
（考案の効果）
【０００７】
本考案のジッパーによると、前記雄歯、前記雌歯のジッパー合わせの移動に用いられるスライダーボディーが、その基心内部の一側に引導溝が設けられ、各雄歯のフック片は引導されて前記引導溝を通過し、各雄歯のフック片は正確に雌歯のフック孔に嵌め込まれることができ、雄歯のフック片がジッパー合わせの時に偏移の状態が起こらないことを確保する。
【０００８】
本考案のジッパーによると、前記雄歯、前記雌歯は中断して接続されず、連続に接続され、それぞれ緊密にテープの側辺に結合することができる。
本考案のジッパーによると、前記雄歯、前記雌歯は特に金属を用いてプレス成形され、古代調の美感を備える。
【０００９】
本考案のジッパーによると、前述雄歯、雌歯を金属のジッパーとした場合、雄歯のフック片は一体にプレス成形され、かつ雄歯、雌歯の挟み部は直接テープ側辺の中心線に緊密に結合され、雌歯の収納室とテープの中心線は隙間がなく、または、隙間のない状態に近い閉鎖状態となる。
本考案のジッパーによると、前記雄歯、前記雌歯は辺壁に設けられている複数個の小突起刺を用い、テープと快速かつ非常に堅固な噛み合い固定を実現する。
【考案を実施するための最良の形態】
【００１０】
以下、本考案について図面に基づいて説明する。
（第１実施例）
本考案の第１実施例によるジッパーの構成を図１および図２に示す。本考案の第１実施例によるジッパーは、二本のテープ１と、複数の雄歯２と、複数の雌歯３と、スライダーボディー４等の主要部材を含む。
二本のテープ１は、それの相対する両側辺に突き出して延伸する中心線１１が設けられる。
【００１１】
複数の雄歯２は、隣接してテープ１の側辺に設けられ、各雄歯２には突き出し形状のフック片２１を備え、かつ本体には中空状の挟み部２２を備え、挟み部２２は延伸して相対する二つの押し付け片２３を備え、挟み部２２でテープ１の中心線１１を挟み、二枚の押し付け片２３もテープ１の本体を緊密に押し付けることによって、補助強化結合の効果が達成され、中空の挟み部２２の一側または両側壁面には孔２２１が設けられて、テープ本体との挟み効果を強化し、突き出したフック片２１は適当な湾曲フック状であり、図５に示すように、その一端は湾曲部２１１で、他端はフック部２１２である。
【００１２】
複数の雌歯２も隣接して別のテープ１の側辺に設けられ、各雌歯３は各雄歯２と互いに組み合わせられ、各雌歯３には対応するフック孔３１および収納室３２を備え、かつ本体にも中空状の挟み部３３を備え、挟み部３３は延伸して二つの相対する押し付け片３４を備え、挟み部３３でテープ１の中心線１１を挟み、二枚の押し付け片３４もテープ１のテープ本体を緊密に押し付けることによって、補助強化結合の効果が達成される。ただし、雌歯３または雄歯２の押し付け片３４または押し付け片２３は需要によって省略することができる。中空の挟み部３３の一側または両側壁面には孔３３１が設けられて、それとテープ本体の挟み効果を増強し、フック孔３１は雄歯２のフック片２１と互いに組み合わされる。
【００１３】
スライダーボディー４は、雄歯２と雌歯３を貫き通って、雄歯２と雌歯３のジッパーの開閉に用いられ、図２に示すようにスライダーボディー４は基心内部の選定された一側に各雄歯のフック片２１の通過を引導するための引導溝４１が設けられ、スライダーボディー４は引き片４２を嵌め付けることができる。
上記部材を用いて構成されるジッパーの各雄歯２、雌歯３は、スライダーボディー４の引導により、雄歯２のフック片２１は順番に雌歯３のフック孔３１に嵌め込まれることができ、図３、図４に示すように雌歯３の収納室３２内に嵌め止めるので、雄歯２と雌歯３の互いのジッパー合わせの効果が達成され、スライダーボディー４を逆方向に引くと、ジッパーの嵌め合わせ状態を解除することができ、雄歯２と雌歯３は開き分かれる。
【００１４】
スライダーボディー４の内部に設けられる引導溝４１は、図６および図７に示すように、主に雄歯２のフック片２１の通過に用いられ、各雄歯２のフック片２１を引導して特定の角度方向によって前進するようにし、更に進んで正確に順番に雌歯３のフック孔３１に嵌め込ませ、フック片２１を雌歯３の収納室３２内に嵌め止め定位させるので、雄歯２のフック片２１がジッパー合わせ時に偏移が発生しない。
【００１５】
本実施例がクロースエンドジッパー、オープンエンドジッパーそれぞれに使用される応用例を図８および図９に示す。
雄歯２と雌歯３が実施される場合、図１から図９の実施例に示すように、複数の雄歯２と雌歯３は接続が中断しない形態に現れる。必要時は複数の雄歯２と雌歯３を隣接して直列に構成し、連続に接続する形態に構成されるので、図１０の実施例に示すように、各雄歯２、雌歯３の押し付け片２３ａ、押し付け片３４ａは一体に連続接続され形成される。各雄歯２、雌歯３は各テープ１の側辺にそれぞれ緊密に結合すればよく、その接続が中断せず、または、接続が中断しない形態であるかに関わらず、実施時はそれを制限する必要がない。
【００１６】
本実施例において、雄歯２と雌歯３は特に金属を用いてプレス成形されることに適し、それを各テープ１の側辺に緊密に結合すれば、古代調の美感を備えた金属ジッパーに構成される。
本実施例の雄歯２と雌歯３が金属ジッパーとして実施される場合、各雄歯２と雌歯３は一体プレス成形法を採用することができる。雄歯２のフック片２１はプレス加工を経た後、図５に示すように外へ突き出したフック片２１に形成される。フック片２１の他、雄歯２、雌歯３の中空挟み部２２、中空挟み部３３、押し付け片２３、押し付け片３４、孔２２１、孔３３１、雄歯２のフック片２１の湾曲形状、雌歯３のフック孔３１および収納室３２等の形成はすべてプレス工程で加工し、効率よく成形するという目的を達成できる。また、各雄歯２、雌歯３と各テープ１の中心線１１に行われる緊密結合も一貫作業で生産するため大量製造に適する。
【００１７】
雌歯３の収納室３２とテープ１の中心線１１は隙間がなく、または、図３に示すように隙間なしに近い閉鎖状態となるのがよく、これによって、テープ１の中心線１１と雌歯３の収納室３２は閉鎖隔絶されるので、雄歯２、雌歯３を互いにジッパー合わせした場合、たとえ両辺の雄歯２、雌歯３が横方向の大きな力で引きずらされても、中心線１１は収納室３２内に進入しないので、雌歯３が傾く、または、離脱することが起こらない。
【００１８】
（第２実施例）
本考案の第２実施例によるジッパーを図１０および図１１に示す。
上記実施例に開示されたのは本考案の主要技術の実例の説明のみであり、それは本考案の技術範囲を制限するものではなく、およそ同等効果の応用に波及し、または、前記技術手段に基づいて行った簡易な変更または入れ替えはすべて本考案の技術範囲に属するものと見なすべきである。
例えば、前記実施例に於いて、雄歯２の押し付け片２３または雌歯３の押し付け片３４はともに省くことができ、挟み部２２、挟み部３３をもってテープ１側辺の中心線１１に緊密に挟むだけで、雄歯２、雌歯３とテープ本体は固定の結合に形成されるので、それも実施可能である。雄歯２、雌歯３の押し付け片２３、押し付け片３４を省略した他の実施例を図１０と図１１に示す。
【００１９】
（第３実施例）
本考案の第３実施例によるジッパーを図１３から図１８に示す。上記実施例に開示される各雄歯２、雌歯３は、挟み部２２、挟み部３３または押し付け片２３、押し付け片３４を用いてテープ１と堅固な挟み結合を形成するが、雄歯２、雌歯３とテープ１の結合方式は上記の形態に限らず、図１３および図１４に示すように、雄歯２、雌歯３の押し付け片２３、押し付け片３４の壁面にそれぞれ複数の小突起刺２４、小突起刺３５が設けられ、両側の小突起刺２４、小突起刺３５はずれて配置されるので、小突起刺２４、小突起刺３５を用いれば、図１５から図１８に示すように突起刺を備えた開口を構成することができ、テープ１はよく噛み合い固定される。
【００２０】
（第４実施例）
本考案の第４実施例によるジッパーを図１９から図２４に示す。本実施例が図１１に示すような押し付け片を備えない別の形態に実施された場合、それは図１９および図２０に示すように、同じく挟み部２２、挟み部３３の挟み口側壁面にそれぞれ位置をずらして配置される多数の小突起刺２４ａ、小突起刺３５ａが設けられ、それを相対してテープ１の中心線１１に噛み合わせて固定し、それによって、図２１から図２４に示すように良好な噛み合わせ固定が形成される。
上記による雄歯２、雌歯３とテープ１または中心線１１の固定結合形態は本考案の技術範囲に見なすべきである。
【図面の簡単な説明】
【００２１】
【図１】本考案の第１実施例によるジッパーを示す斜視図である。
【図２】本考案の第１実施例によるジッパーを示す斜視図である。
【図３】本考案の第１実施例によるジッパーのジッパー合わせの状態を示す断面図である。
【図４】本考案の第１実施例によるジッパーの雄歯と雌歯のジッパー合わせの状態を示す模式図である。
【図５】本考案の第１実施例によるジッパーの雄歯を示す斜視図である。
【図６】本考案の第１実施例によるジッパーのスライダーボディーを裁断した組み合わせを示す斜視図である。
【図７】本考案の第１実施例によるジッパーのスライダーボディーで雄歯を引導した組み合わせを示す模式図である。
【図８】本考案の第１実施例によるジッパーのクロースエンドジッパーに使用される状態を示す模式図である。
【図９】本考案の第１実施例によるジッパーのオープンエンドジッパーに使用される状態を示す模式図である。
【図１０】本考案の第２実施例によるジッパーの雄歯と雌歯を連続に連結して構成した状態を示す斜視図である。
【図１１】本考案の第２実施例によるジッパーの押し付け片を省略した状態を示す斜視図である。
【図１２】本考案の第２実施例によるジッパーのジッパー合わせの状態を示す断面図である。
【図１３】本考案の第３実施例によるジッパーの雄歯の押し付け片に小突起刺を設け加えた状態を示す斜視図である。
【図１４】本考案の第３実施例によるジッパーの雌歯の押し付け片に小突起刺を設け加えた状態を示す斜視図である。
【図１５】図１３の噛み合わせ前の状態を示す模式図である。
【図１６】図１３の噛み合わせ後の状態を示す模式図である。
【図１７】図１４の噛み合わせ前の状態を示す模式図である。
【図１８】図１４の噛み合わせ後の状態を示す模式図である。
【図１９】本考案の第４実施例によるジッパーの雄歯の挟み部に小突起刺を設け加えた状態を示す斜視図である。
【図２０】本考案の第４実施例によるジッパーの雌歯の挟み部に小突起刺を設け加えた状態を示す斜視図である。
【図２１】図１９の噛み合わせ前の状態を示す模式図である。
【図２２】図１９の噛み合わせ後の状態を示す模式図である。
【図２３】図２０の噛み合わせ前の状態を示す模式図である。
【図２４】図２０の噛み合わせ後の状態を示す模式図である。
【符号の説明】
【００２２】
１：テープ、２：雄歯、３：雌歯、４：スライダーボディー、１１：中心線、２１：フック片、２２：挟み部、２３：押し付け片、２３ａ：押し付け片、２４：突起刺、２４ａ：突起刺、３１：フック孔、３２：収納室、３３：挟み部、３４：押し付け片、３４ａ：接続する押し付け片、３５：突起刺、３５ａ：突起刺、４１：引導溝、４２：引き片、２１１：湾曲部、２１２：フック部、２２１：孔、３３１：孔
【図１】
0003138905.tif 000003
【図２】
0003138905.tif 000004
【図３】
0003138905.tif 000005
【図４】
0003138905.tif 000006
【図５】
0003138905.tif 000007
【図６】
0003138905.tif 000008
【図７】
0003138905.tif 000009
【図８】
0003138905.tif 000010
【図９】
0003138905.tif 000011
【図１０】
0003138905.tif 000012
【図１１】
0003138905.tif 000013
【図１２】
0003138905.tif 000014
【図１３】
0003138905.tif 000015
【図１４】
0003138905.tif 000016
【図１５】
0003138905.tif 000017
【図１６】
0003138905.tif 000018
【図１７】
0003138905.tif 000019
【図１８】
0003138905.tif 000020
【図１９】
0003138905.tif 000021
【図２０】
0003138905.tif 000022
【図２１】
0003138905.tif 000023
【図２２】
0003138905.tif 000024
【図２３】
0003138905.tif 000025
【図２４】
0003138905.tif 000026